(57)【特許請求の範囲】
【請求項１】
給気ファンと排気ファンとを具えるダクト式換気装置と、前記換気装置の運転領域内で独立した排気装置とを具える換気システムにおいて、給気ファンで換気対象室に外気を給気すると同時に排気ファンで換気対象室の還気を外部に排出する第１運転方法に加えて、排気ファンの吸込口を還気口から遮断すると共に外気取入口に連通させ、排気ファンの吐出口を排気口から遮断すると共に給気口に連通させ、前記排気ファンを前記給気ファンと共に給気用として運転する第２運転方法を行うことを特徴とする、換気装置の運転方法。
【請求項２】
前記独立した排気装置を運転する時に、前記換気装置を第１運転方法から第２運転方法に切替えるようにした、請求項１に記載の運転方法。
【請求項３】
前記独立した排気装置の起動信号により、前記換気装置の第１運転方法から第２運転方法への切替を行うようにした、請求項２に記載の運転方法。
【請求項４】
前記換気装置の第１運転方法から第２運転方法への切替を手動により随時行うようにした、請求項２に記載の運転方法。
【請求項５】
給気ファンと排気ファンとを具えるダクト式換気装置と、前記換気装置の運転領域内で独立した排気装置とを具える換気システムにおいて、排気ファンの吸込口を還気口から遮断すると共に外気取入口に連通させる第１開閉扉と、排気ファンの吐出口を排気口から遮断すると共に給気口に連通させる第２開閉扉とを、換気装置内に設けたことを特徴とする、換気装置。
【請求項６】
換気装置に還気と外気を熱交換させる熱交換器を設けた、請求項５に記載の換気装置。
【請求項７】
前記熱交換器は上向き平行流方式回転形とし、熱交換器の下面にフィルターを取り付け、さらに換気装置のフイルターに対向する面に、開閉自在な点検口を取付けた、請求項６に記載の換気装置。
【発明の詳細な説明】
【０００１】
【発明の属する技術分野】
この発明は、主に住宅に使用される給気ファン、排気ファンを内蔵したダクト式換気装置に関する。
【０００２】
【従来の技術】
近年、高気密住宅の普及に伴い、換気を確実にすることができるダクト方式の換気装置を設備することが多くなった。住宅用換気装置は第１種換気叉は第３種換気であり、いずれも給気量と排気量はほぼ同一か、もしくは給気量が排気量に比べて若干多いのが特徴である。このような換気装置とは別に、住宅内部には、例えば厨房にレンジフードファン等局所的な換気装置が配置されることが多い。
【０００３】
従来、レンジフードファンは調理時のみ運転し、調理に伴い発生する燃焼ガス、臭いを含んだ水蒸気、油煙等を屋外に強制排出するための局所排気設備で、このようなガス、水蒸気のみならず厨房内の空気を大量に排気するので、適切な給気を行わないと、レンジフードファンの排気量が減って正常に機能しない、住宅内が負圧になり隙間風が発生する、住宅外からドアが開け難い等の弊害が生ずる。
【０００４】
【発明が解決しようとする課題】
このような問題を回避するために、例えば排気と同時に外気を取り入れる構造の、同時給排気形のレンジフードファンを使用し、住宅の空気調和設備とは独立して給排気を行う方法が採られる。しかしながらこのような方法を採った場合、レンジフードファン専用の給気用ダクトを設備しなければならず、ファン自体も高価になり設備費用がかさむと言う問題が生じる。
【０００５】
【課題を解決するための手段】
この発明は、給気ファンと排気ファンとを具えるダクト式換気装置と、前記換気装置の運転領域内で独立した排気装置とを具える換気システムにおいて、給気ファンで換気対象室に外気を給気すると同時に排気ファンで換気対象室の還気を外部に排出する第１運転方法に加えて、排気ファンの吸込口を還気口から遮断すると共に外気取入口に連通させ、排気ファンの吐出口を排気口から遮断すると共に給気口に連通させ、前記排気ファンを前記給気ファンと共に給気用として運転する第２運転方法を可能にすることを特徴とする、換気装置の運転方法に関する。
【０００６】
またこの発明は、独立した排気装置を運転する時に、前記換気装置を第１運転方法から第２運転方法に切替えるようにした、前項に記載の運転方法に関し、独立した排気装置の起動信号により、叉は手動により随時、前記換気装置の第１運転方法から第２運転方法への切替を行うようにしたものに関する。
【０００７】
またこの発明は、給気ファンと、排気ファンとを具えるダクト式換気装置と、前記換気装置の運転領域内で独立した排気装置とを具える換気システムにおいて、排気ファンの吸込口を還気口から遮断すると共に外気取入口に連通させる第１開閉扉と、排気ファンの吐出口を排気口から遮断すると共に給気口に連通させる第２開閉扉とを、換気装置内に設けたことを特徴とする、換気装置に関する。
【０００８】
さらにこの発明の換気装置では、還気と外気を熱交換させる熱交換器を設け、且つ熱交換器の下面にフィルターを取り付け、さらに換気装置のフイルターに対向する面に、開閉自在な点検口を取付けることも出来る。この熱交換器が作用するのは、第１運転方法による稼動の場合だけである。
【０００９】
【発明の効果】
この発明は以上のようにしたので、全体の換気システムから独立した排気装置、例えば厨房のレンジフードファンを運転する時に、システム内で給気が不足し、室内に負圧が生じて、換気装置の機能低下、ドアの開閉困難等の不都合が生じるのを、未然に防止することが出来る。また、換気装置の給気ダクトと排気ダクトとの間に熱交換器を設けて、別に設けた冷暖房装置の運転電力を節約することも出来る。
【００１０】
【発明の実施の態様】
この発明の換気装置の実施の態様を、図１乃至図５に示す。図１は給気ファンと排気ファンとを具えるダクト式換気装置と、前記換気装置の運転領域内で独立した排気装置とを具える換気システムの概念図で、換気装置１は給気ファン２、排気ファン３を配置し、給気ファン２は外気取入口４、外気取入ダクト５、給気ファン吸込口６を介して換気装置１内に導入した外気を昇圧し、給気ファン吐出口７、給気ダクト８、給気口９を経て室１０内に放出している。他方、室１０内の還気は還気口１１、還気ダクト１２、排気ファン吸込口１３を介して換気装置１に還流させ、排気ファン３により付勢して排気ファン吐出口１４,排気ダクト１５、排気口１６を経て外気に放出させる。
【００１１】
外気取入ダクト５と還気ダクト１２との間、及び還気ダクト１２と排気ファン吸込口１３との間には、一連の第１開閉扉１７ａ及び第２開閉扉１７ｂが設けられ,また、給気ダクト８と排気ダクト１５との間及び排気ダクト１５と排気口１６との間には一連の第３開閉扉１８ａ及び第４開閉扉１８ｂが設けられる。第１開閉扉１７ａ及び第２開閉扉１７ｂ、第３開閉扉１８ａ及び第４開閉扉１８ｂは夫々互いに連動しており,常時は第１開閉扉１７ａと第３開閉扉１８ａは閉じており、第２開閉扉１７ｂと第４開閉扉１８ｂとは開いている。
【００１２】
室１０内の厨房等で有臭,有害な煙や熱気が発生する場合、その発生箇所の上方にレンジフードファン１９を設けて、この有害雰囲気を室外に排出する。この場合、レンジフードファン１９は排気ファンのみを有し,有害雰囲気と共にその周囲の空気を吸い出すので、室１０内の空気は一時的に、外気と比較して負圧になる。この負圧のために換気装置の性能が落ちたり、またこの負圧を補償するために、外気から隙間風が室１０内に侵入したり、また外から扉を開けようとする時に重かったり,逆に急に吸込まれたりする不都合が起きる。
【００１３】
このような不都合を未然に防ぐために、室１０内でレンジフードファン１９を運転させる時には、それに連動して,叉は必要に応じて手動により、換気装置１の第１開閉扉１７ａ及び第２開閉扉１７ｂ、第３開閉扉１８ａ及び第４開閉扉１８ｂの開閉を夫々逆転させて、排気ファン３の吸込口１３と外気取入口４とを連通させるとともに、排気ファン３の吐出口１４と給気口９とを連通させる。言い換えると排気ファン３を一時的に給気ファンとして運転させ,室１０への給気を増やして、室内に負圧が生じないようにする。
【００１４】
図２に示すものは図１の実施例の変形例で、給気ファン２及び排気ファン３を含む換気装置１内の吸気部２０と排気部２１とを分ける中央隔壁２２の上流側連通孔２３に第１開閉扉１７ａを、還気ダクト接続口２４に第２開閉扉１７ｂを設け、また前記中央隔壁２２の下流側連通孔２５に第３開閉扉１８ａ、排気ダクト接続口２６に第４開閉扉１８ｂが設けられる。前述した第１実施例と同様、第１開閉扉１７ａ及び第２開閉扉１７ｂ、第３開閉扉１８ａ及び第４開閉扉１８ｂは夫々互いに連動しており,常時は第１開閉扉１７ａと第３開閉扉１８ａは閉じており、第２開閉扉１７ｂと第４開閉扉１８ｂとは開いている。
【００１５】
図３に示すものは図２に示す実施例をさらに簡略化したもので、換気装置１の第１開閉扉１７ａと第２開閉扉１７ｂ、第３開閉扉１８ａと第４開閉扉１８ｂとを夫々一体化し、第１開閉扉１７が中央隔壁２２上流側連通孔２３と、還気ダクト接続口２４とを選択的に開閉し、また第３開閉扉１８が中央隔壁２２の下流側連通孔２５と排気ダクト接続口２６とを選択的に開閉する。常時は第１開閉扉１７は中央隔壁２２の上流側連通孔２３を、また第３開閉扉１８は中央隔壁２２の下流側連通孔２５を閉鎖し、還気ダクト接続口２４から導入された還気は排気ファン３により付勢され、排気ダクト接続口２６の方へ流れる。そうして、室１０内の負圧発生時には第１開閉扉１７及び第２開閉扉１８が還気ダクト接続口２４及び排気ダクト接続口２６をそれぞれ閉鎖すると同時に、中央隔壁２２の上流側連通孔２３及び下流側連通孔２５を開放して、排気ファン３は吸気ファン２と並列運転を行い、室１０内の負圧を解消させるように働く。
【００１６】
図４に示すものは, 換気装置１の排気ダクト側と外気取入ダクト側との間に上向き平行流方式回転形熱交換器２７を設け ,排気中に放出される熱を吸気中に採りこみ,空気調和を図る。図５に示すものは、熱交換器２７の下面にフィルター２８を取り付け、さらに換気装置１のフイルターに対向する面に、開閉自在な点検口２９を取付けた実施例を示す。点検口２９は熱交換器２７やその給気側下流に設けたフイルタ−２８の点検や交換に供する。
【図面の簡単な説明】
【図１】  この発明の、給気ファンと排気ファンとを具えるダクト式換気装置と、前記換気装置の運転領域内で独立した排気装置とを具える換気システムの概念図である。
【図２】  図１の実施例の変形例を示す。
【図３】  図１の実施例の更に別の変形例を示す。
【図４】  この発明の換気装置において、熱交換器を組み込んだ例を示す。
【図５】  この発明の換気装置において、熱交換器、フイルタ−及び点検口を組み込んだ例出、図４のＡ−Ａ線で切断した断面を示す。
【符号の説明】
１    換気装置
２    給気ファン
３    排気ファン
４    外気取入口
５    外気取入ダクト
６    給気ファン吸込口
７    給気ファン吐出口
８    給気ダクト
９    給気口
１０  室
１１  還気口
１２  還気ダクト
１３  排気ファン吸込口
１４  排気ファン吐出口
１５  排気ダクト
１６  排気口
１７、１７ａ  第１開閉扉
１７ｂ  第２開閉扉
１８、１８ａ  第3開閉扉
１８ｂ  第４開閉扉
１９  レンジフードファン
２０  給気部
２１  排気部
２２  中央隔壁
２３  上流側連通孔
２４  還気ダクト接続口
２５  下流側連通孔
２６  排気ダクト接続口
２７  熱交換器
２８  フイルタ−
２９  点検口
【図１】
0004388646.tif 000002
【図２】
0004388646.tif 000003
【図３】
0004388646.tif 000004
【図４】
0004388646.tif 000005
【図５】
0004388646.tif 000006